(57)【要約】【課題】最適な溶接条件を溶接作業者が容易に選択可能なアーク溶接機を提供する。【解決手段】予め設定された設定幅の大きな複数の溶接条件の中から一の溶接条件を選択可能な標準切換モードと、溶接電流および溶接電圧を微調整可能な微調整モードとを有し、標準切換モードにおいて溶接条件を順次選択する第１の操作と、第１の操作で一の溶接条件が選択された状態において、標準切換モードと微調整モードとの間でモード変換する第２の操作と、微調整モードにおいて溶接電流または溶接電圧を微調整対象として選択する第３の操作と、第３の操作で溶接電流または溶接電圧が微調整対象として選択された状態において、微調整対象である溶接電流または溶接電圧を所定範囲内で微調整する第４の操作とが、溶接トーチ２０に設けられた１つの操作部３０で行われるように構成され、制御装置１０は、操作部３０からの入力により溶接電源２からの出力を制御する。【選択図】        図４
2004223555.tif 000002
【特許請求の範囲】
【請求項１】
溶接電源と、
前記溶接電源からの出力を制御する制御装置と、
前記制御装置から離れて移動可能に設けられた溶接トーチと、を有するアーク溶接機であって、
予め設定された溶接電流と溶接電圧との組合せからなる設定幅の大きな複数の溶接条件の中から一の溶接条件を選択可能な標準切換モードと、所定の範囲内で溶接電流および溶接電圧を微調整可能な微調整モードとを有し、
前記標準切換モードにおいて複数の溶接条件の中から一の溶接条件を順次選択する第１の操作と、
前記第１の操作で一の溶接条件が選択された状態において、前記標準切換モードと前記微調整モードとの間でモード変換する第２の操作と、
前記微調整モードにおいて溶接電流または溶接電圧を微調整対象として選択する第３の操作と、
前記第３の操作で溶接電流または溶接電圧が微調整対象として選択された状態において、当該微調整対象である溶接電流または溶接電圧を前記第１の操作で選択された溶接条件を基準として所定範囲内で微調整する第４の操作とが、前記溶接トーチに設けられた１つの操作部で行われるように構成され、
前記制御装置は、前記操作部からの入力により前記溶接電源からの出力を制御するように構成されていることを特徴とする、アーク溶接機。
【請求項２】
請求項１において、前記第４の操作によって、微調整対象である溶接電流または溶接電圧が増加するように微調整されることを特徴とする、アーク溶接機。
【請求項３】
請求項１または請求項２において、前記制御装置は、溶接電流と溶接電圧との組合せからなる設定幅の大きな複数の溶接条件を予め設定可能な溶接条件制御機構と、前記溶接条件制御機構の中から一の溶接条件が選択された状態において、当該溶接条件を基準として溶接電流および溶接電圧を所定範囲内で微調整可能な微調整機構と、を備え、
前記操作部は、前記溶接条件制御機構と、前記微調整機構とを操作可能に構成されていることを特徴とする、アーク溶接機。
【請求項４】
請求項１から請求項３のいずれか一項において、前記制御装置は、さらに、前記第１の操作と連動し、選択された溶接条件を表示する溶接条件表示部を具備していることを特徴とする、アーク溶接機。
【請求項５】
請求項１から請求項４のいずれか一項において、前記制御装置は、さらに、前記第３の操作と連動し、微調整の対象として選択された溶接電流または溶接電圧を表示する微調整対象表示部を具備していることを特徴とする、アーク溶接機。
【請求項６】
請求項１から請求項５のいずれか一項において、前記操作部は、前記溶接トーチの把持部に配設された押釦スイッチから構成されていることを特徴とする、アーク溶接機。
【請求項７】
請求項１から請求項６のいずれか一項において、溶接ワイヤを前記溶接トーチに送給する溶接ワイヤ送給装置を備え、当該溶接ワイヤ送給装置を操作するワイヤ送給インチングボタンが前記制御装置に具備されていることを特徴とする、アーク溶接機。
【発明の詳細な説明】
【０００１】
【発明の属する技術分野】
本発明は、溶接母材や溶接姿勢等に応じて溶接条件を適宜設定変更可能なアーク溶接機に関する。
【０００２】
【従来の技術】
アーク溶接を行う従来のアーク溶接機は、電源装置、溶接ワイヤ送給装置、溶接トーチ等を備えているが、溶接母材や溶接姿勢が変化する場合には、その都度溶接条件を設定し直さなければならず、操作が煩雑であった。
【０００３】
このような操作の煩雑さを解消するため、予め複数の溶接条件を設定しておき、電源装置から離されて移動可能に接続された遠隔操作装置を操作することにより、所望の溶接条件を選択できるようにしたアーク溶接機が報告されている（例えば、特許文献１参照）。
【０００４】
また、溶接用電源装置に溶接条件調整用の調整器を複数設け、この複数の調整器の中から所望する溶接条件を選択する切換スイッチを溶接トーチに備えたアーク溶接機が報告されている（例えば、特許文献２参照）。このアーク溶接機では、溶接作業者の手に持つ溶接トーチに溶接条件を選択する切換スイッチが設けられているので、溶接条件を変更する場合に溶接作業者はその場で切替えができる効果について記載されている。
【０００５】
しかし、これらのアーク溶接機においては、溶接作業者が選択した溶接条件を自分で確認することができず、初心者や不慣れな者には適切でない溶接条件で作業を継続してしまう虞があった。また、溶接母材や溶接姿勢の比較的小さな変化、または複数の溶接作業者が同時に作業を開始することによる工場電圧の低下などによって予め設定されていた溶接条件では最適な条件が得られない場合には、予め設定しておいた溶接条件の再調整が必要であり煩雑であるとともに、作業性が低下する要因となっていた。
【０００６】
【特許文献１】
特開昭５７−１６５１７８号公報
【特許文献２】
特開昭５８−４４９７０号公報
【０００７】
【発明が解決しようとする課題】
本発明はこのような実情に鑑みなされたものであって、その課題は、溶接母材や溶接姿勢に最も適した溶接条件を溶接作業者が容易に選択し、選択された溶接条件を表示可能なアーク溶接機を提供することにある。
【０００８】
【課題を解決するための手段】
上記課題を解決するため、本発明の第１の態様は、溶接電源と、前記溶接電源からの出力を制御する制御装置と、前記制御装置から離れて移動可能に設けられた溶接トーチと、を有するアーク溶接機であって、予め設定された溶接電流と溶接電圧との組合せからなる設定幅の大きな複数の溶接条件の中から一の溶接条件を選択可能な標準切換モードと、所定の範囲内で溶接電流および溶接電圧を微調整可能な微調整モードとを有し、前記標準切換モードにおいて複数の溶接条件の中から一の溶接条件を順次選択する第１の操作と、前記第１の操作で一の溶接条件が選択された状態において、前記標準切換モードと前記微調整モードとの間でモード変換する第２の操作と、前記微調整モードにおいて溶接電流または溶接電圧を微調整対象として選択する第３の操作と、前記第３の操作で溶接電流または溶接電圧が微調整対象として選択された状態において、当該微調整対象である溶接電流または溶接電圧を前記第１の操作で選択された溶接条件を基準として所定範囲内で微調整する第４の操作とが、前記溶接トーチに設けられた１つの操作部で行われるように構成され、前記制御装置は、前記操作部からの入力により前記溶接電源からの出力を制御するように構成されていることを特徴とする。
【０００９】
本発明によれば、溶接作業者は１つの操作部を操作することにより、溶接母材や溶接姿勢に応じて標準切換モードにおいて設定幅の大きな溶接条件の中から適した一の溶接条件を選択することができるとともに、一の溶接条件が選択された状態において微調整が必要な場合に微調整モードで該溶接条件を基準として溶接電流および溶接電圧を微調整することができる。従って、より最適な条件で溶接作業を行うことができる。
【００１０】
すなわち、溶接母材や溶接姿勢が変わる（例えば、溶接姿勢が下向きから横向きに変わる）ことによる溶接条件の大きな変更には標準切換モードで対応し、工場電圧の低下などによって溶接作業中に溶接条件を微調整したい場合には微調整モードで対応することにより、常に最適な条件において溶接作業を行うことができ、作業効率，作業性が高い。
【００１１】
また、前記第１から第４の操作は、溶接作業者が手に持つ溶接トーチに配設された１つの操作部で行うことができるので、それらの操作が容易である。すなわち、溶接作業者は厚手の手袋を装備した上で溶接トーチを手に持ち溶接作業を行うため、細かな操作を行うことが困難である。しかし、本発明では溶接作業者の操作が溶接トーチに設けられた１つの操作部で行えるため、溶接作業者が厚手の手袋をした状態であっても操作性が低下することなく、容易に操作部を操作することができる。従って、１つの操作部を操作することにより、溶接条件の選択と微調整とを容易に行うことができるので、最適な条件で溶接を行え作業性が向上される。
【００１２】
また、本発明の第２に態様は、前記第１の態様において、前記第４の操作によって、微調整対象である溶接電流または溶接電圧が増加するように微調整されることを特徴とする。
【００１３】
本発明によれば、前記第１の態様において、前記第４の操作によって、微調整対象である溶接電流または溶接電圧が増加するように微調整されるため、溶接トーチに設けられた操作部の操作性を困難なものとすることがなく、溶接作業者が溶接電流または溶接電圧の出力を増加する方向に微調整して、最適な溶接条件に調整することができる。
【００１４】
すなわち、複数の溶接作業者が作業を同時に開始した場合には工場電圧が低下し、これに伴い予め設定しておいた溶接条件よりも溶接電流および／または溶接電圧の出力が低下することが多い。このような場合には、溶接電流および／または溶接電圧を上昇させる方向に微調整する必要があるため、本発明の構成であれば容易に溶接電流および／または溶接電圧を増加させる微調整を行うことができ、工場電圧が低下した分を補って最適な溶接条件とすることができる。
【００１５】
また、本発明の第３態様は、前記第１または第２の態様において、前記制御装置は、溶接電流と溶接電圧との組合せからなる設定幅の大きな複数の溶接条件を予め設定可能な溶接条件制御機構と、前記溶接条件制御機構の中から一の溶接条件が選択された状態において、当該溶接条件を基準として溶接電流および溶接電圧を所定範囲内で微調整可能な微調整機構と、を備え、前記操作部は、前記溶接条件制御機構と、前記微調整機構とを操作可能に構成されていることを特徴とする。本発明によれば、前記第１または第２の態様と同様の作用効果が得られる。
【００１６】
また、本発明の第４の態様は、前記第１から第３のいずれかの態様において、前記制御装置は、さらに、前記第１の操作と連動し、選択された溶接条件を表示する溶接条件表示部を具備していることを特徴とする。
【００１７】
本発明によれば、制御装置は、さらに、第１の操作と連動し、選択された溶接条件を表示する溶接条件表示部を具備しているので、溶接作業者が初心者や溶接作業に不慣れな者である場合であっても、溶接作業者自身で複数の溶接条件の中から只今選択されている溶接条件がどれであるのかを確認することができ、作業性および安全性を向上できる。
【００１８】
また、本発明の第５の態様は、前記第１から第４のいずれかの態様において、前記制御装置は、さらに、前記第３の操作と連動し、微調整の対象として選択された溶接電流または溶接電圧を表示する微調整対象表示部を具備していることを特徴とする。
【００１９】
本発明によれば、制御装置は、さらに、第３の操作と連動し、微調整の対象として選択された溶接電流または溶接電圧を表示する微調整対象表示部を具備しているため、溶接作業者が初心者や溶接作業に不慣れな者である場合であっても、溶接作業者自身で只今選択されている微調整対象が溶接電流であるのか、溶接電圧であるのかを確認することができ、作業性および安全性を向上できる。
【００２０】
また、本発明の第６の態様は、前記第１から第５のいずれかの態様において、前記操作部は、前記溶接トーチの把持部に配設された押釦スイッチから構成されていることを特徴とする。本発明によれば、操作部は溶接トーチの把持部に配設された押釦スイッチから構成されているので、溶接作業者は簡単に押釦スイッチを操作することができる。
【００２１】
また、本発明の第７の態様は、前記第１から第６のいずれかの態様において、溶接ワイヤを前記溶接トーチに送給する溶接ワイヤ送給装置を備え、当該溶接ワイヤ送給装置を操作するワイヤ送給インチングボタンが前記制御装置に具備されていることを特徴とする。
【００２２】
本発明によれば、溶接ワイヤを溶接トーチに送給する溶接ワイヤ送給装置を備え、この溶接ワイヤ送給装置を操作するワイヤ送給インチングボタンが制御装置に具備されているので、アーク溶接機全体の構成を小型化することができる。また、溶接ワイヤ送給装置に新たな溶接ワイヤを装着した場合に、通常、溶接作業者の近傍にある制御装置にワイヤ給送インチングボタンが具備されていることによって、溶接作業者がこのワイヤ給送インチングボタンを操作することで溶接ワイヤを溶接トーチに送給させ、その送給具合を確認することが可能である。従って、溶接作業の作業性を向上できる。
【００２３】
【発明の実施の形態】
以下、本発明の一実施形態について図面に基づいて説明する。
ここで、図１は本実施形態に係るアーク溶接機の概略構成図であり、図２は本実施形態に係る制御装置本体部を示す外観斜視図であり、図３は本実施形態に係る溶接トーチを示す斜視図である。
【００２４】
本実施形態に係るアーク溶接機１は、溶接電源２と、溶接ワイヤ送給装置３と、制御装置本体部１０と、溶接トーチ２０とを備えている。また、図示しないシールドガス供給装置を具備することができる。シールドガスとしては、炭酸ガス、アルゴンガス、またはこれらの混合ガスなどの不活性ガスを使用することができる。
【００２５】
溶接電源２は、図示しない工場電源などのより大型の電源装置に接続され、溶接作業に要する電源として機能するように構成されている。制御装置本体部１０は、溶接電源２および溶接トーチ２０に接続されて配設されている。制御装置本体部１０は、本実施形態では図２に示す如く長方体に形成され、その上面には、後述する第１の操作と連動して溶接電流と溶接電圧との組合せからなる溶接条件を表示する溶接条件表示部６と、後述する第３の操作と連動して微調整対象として選択された溶接電流または溶接電圧を表示する微調整対象表示部７と、溶接ワイヤ送給装置３に信号を出力して溶接ワイヤ（図示せず）を溶接トーチ２０まで送給するワイヤ送給インチングボタン１９が設けられている。
【００２６】
本実施形態の制御装置本体部１０では、溶接条件制御機構（図示せず）によって第１チャンネル、第２チャンネル、および第３チャンネル、の３通りの初期条件を設定できるように構成されており、溶接条件表示部６においてこれらのチャンネルのうちから選択されているチャンネルが表示される。すなわち、第１チャンネルが選択されている場合には第１チャンネル表示部１１が点灯し、第２チャンネルが選択されている場合には第２チャンネル表示部１２が点灯し、第３チャンネルが選択されている場合には第３チャンネル表示部１３が点灯するよう構成されている。
【００２７】
このような構成により、溶接作業者が初心者や溶接作業に不慣れな者である場合であっても、溶接作業者自身で只今選択されている溶接条件が第１チャンネル、第２チャンネルまたは第３チャンネルのどれであるのかを確認することができ、作業性および安全性を向上できる。
【００２８】
また、微調整対象表示部７では、微調整対象として選択された溶接電流または溶接電圧を表示する。すなわち、後に詳述するように、溶接電流が微調整対象として選択され、初期設定にある場合には電流微調整表示部１７が点灯し、微調整を行うことにより点滅するように構成されている。また、溶接電圧が微調整対象として選択され、初期設定にある場合には電圧微調整表示部１８が点灯し、微調整を行うことにより点滅するように構成されている。
【００２９】
このような構成により、溶接作業者が初心者や溶接作業に不慣れな者である場合であっても、溶接作業者自身で只今選択されている微調整対象が溶接電流であるのか、溶接電圧であるのかを確認することができ、作業性および安全性を向上できる。また、初期設定にある場合には点灯し、微調整を行っている場合には点滅するので、溶接条件が初期設定であるのか、微調整されているのかを確認することもできる。
【００３０】
また、制御装置本体部１０の側面には、溶接電流と溶接電圧との組合せからなる溶接条件を作業開始前に初期条件として予め設定する初期条件設定部８が設けられている。この初期条件設定部８は、図示しないフタを開放することによって操作可能に構成されており、安易に初期設定を変更できないようになっている。
【００３１】
本実施形態の制御装置本体部１０では、３通りの初期条件（３つのチャンネル）を設定できるように構成されている。そして、それぞれの初期条件について、第１の初期設定としての第１チャンネルにおける溶接電流を第１チャンネル電流操作部１１ａで、溶接電圧を第１チャンネル電圧操作部１１ｂで設定し、第２の初期条件としての第２チャンネルにおける溶接電流を第２チャンネル電流操作部１２ａで、溶接電圧を第２チャンネル電圧操作部１２ｂで設定し、同様に、第３の初期条件としての第３チャンネルにおける溶接電流を第３チャンネル電流操作部１３ａで、溶接電圧を第３チャンネル電圧操作部１３ｂで設定できるようになっている。
【００３２】
初期条件は様々な溶接作業条件、すなわち、下向き，立向き，横向き，傾斜などの溶接姿勢、使用する溶接ワイヤの太さや材質、溶接対象である母材の厚みや材質、また、使用するシールドガスの種類や流量などに応じて溶接作業をはじめる前に適宜設定することができる。ここで、それぞれのチャンネルにおける初期条件の一例を挙げるとすれば、第１チャンネルでは溶接電流１００Ａ，溶接電圧１０Ｖ、第２チャンネルでは溶接電流２００Ａ，溶接電圧２０Ｖ、第３チャンネルでは溶接電流３００Ａ，溶接電圧３０Ｖとして設定することができる。
【００３３】
溶接トーチ２０は、図３に示す如く、把持部２１に後述する第１から第４の操作を行う操作部の一例である押釦スイッチ３０が配置され、その下側には溶接開始／停止用のＯＮ／ＯＦＦスイッチ２２が設けられている。溶接作業者が溶接トーチ２０の把持部２１を掴んで作業することにより、例えば、押釦スイッチ３０を親指で、ＯＮ／ＯＦＦスイッチ２２を人差し指で操作することが可能である。
【００３４】
このように溶接作業者が手に持つ溶接トーチ２０に配設された１つの押釦スイッチ３０で後述する第１から第４の操作を行うことができるので、それらの操作が容易である。すなわち、溶接作業者は厚手の手袋を装備した上で溶接トーチ２０を手に持ち溶接作業を行うため、細かな操作を行うことが困難であるが、本実施形態では溶接作業者の操作が溶接トーチ２０に設けられた１つの押釦スイッチ３０で行えるため、溶接作業者が厚手の手袋をした状態であっても操作性が低下することなく、容易に押釦スイッチ３０を操作することができる。従って、この押釦スイッチ３０を操作することにより、後述するように溶接条件の選択と当該溶接条件を基準とした微調整とを容易に行うことができるので、最適な条件で溶接を行え作業性が向上される。
【００３５】
次に、本実施形態における押釦スイッチ３０の操作手順について図４から図６を参照にして説明する。ここで、図４は押釦スイッチの操作手順の説明に供するフロー図である。以下、押釦スイッチ３０を１回押して離す操作を「ワンクリック（図４において「ＯＣ」と示す。）」と、この操作を２回連続して行う操作を「ダブルクリック（図４において「ＤＣ」と示す。）」と、押釦スイッチ３０を押し続ける操作を「長押」とする。なお、図４の微調整モードにおいて、微調整対象として「Ａ」は溶接電流を、「Ｖ」は溶接電圧を示すものである。
【００３６】
まず図４において、アーク溶接機１の電源をＯＮにし、ワンクリックすることにより標準切換モードに入り、第１チャンネルが選択されて溶接条件表示部６の第１チャンネル表示部１１が点灯する。この標準切換モードにおいて、第１の操作としてワンクリックする毎に第１チャンネルから第２チェンネルへ、第２チャンネルから第３チャンネルへ、第３チャンネルから第１チャンネルへとチャンネルが順次切り替わる。そして、この第１の操作に連動して、溶接条件表示部６のうちの点灯箇所が、第１チャンネル表示部１１から第２チャンネル表示部１２へ、第２チャンネル表示部１２から第３チャンネル表示部１３、第３チャンネル表示部１３から第１チャンネル表示部１１へと移り変わる。
【００３７】
そして、第１チャンネル、第２チャンネルまたは第３チャンネルのいずれかが選択された状態において、第２の操作としてダブルクリックすることによりそのチャンネルの微調整モードに入る。また、微調整モードから標準切換モードに変換したい場合には第２の操作としてダブルクリックすることにより行うことができる。すなわち、第１チャンネル、第２チャンネルまたは第３チャンネルのいずれかが選択された状態において、第２の操作としてダブルクリックすることにより「標準切換モード」と「微調整モード」との間で順次モードが変換され、どちらかを選択できる。
【００３８】
以下では第１チャンネルが選択された場合を例に挙げて説明する。第１チャンネルが選択された状態（第１チャンネル表示部１１点灯）において、第２の操作としてダブルクリックすることにより第１チャンネルの微調整モードに入り、はじめに微調整対象として「溶接電流Ａ」が選択されて微調整対象表示部７の電流微調整表示部１７が点灯する。「溶接電圧Ｖ」を微調整対象として選択する場合には、溶接電流Ａが選択されている状態で第３の操作としてワンクリックすることに行うことができ、これにより電圧微調整表示部１８が点灯する。すなわち、第３の操作としてワンクリックすることにより微調整対象が「溶接電流Ａ」と「溶接電圧Ｖ」との間で順次切り替わり、どちらかを選択できる。また、微調整対象表示部７では、第３の操作により微調整対象として選択された溶接電流Ａまたは溶接電圧Ｖに連動して、電流微調整表示部１７または電圧微調整表示部１８のどちらかが点灯する。
【００３９】
そして、微調整対象として溶接電流Ａまたは溶接電圧Ｖが選択された状態において、第４の操作として長押することにより、前記第１の操作で選択したチャンネルの初期設定を基準として、その長押時間に応じて選択された溶接電流Ａまたは溶接電圧Ｖの出力が増加する。
【００４０】
ここで、第４の操作について図５および図６を参照にして説明する。図５は溶接電流の微調整の説明に供するグラフ図面であり、図６は溶接電圧の微調整の説明に供するブラフ図面である。
【００４１】
まず、図５に基づき溶接電流の微調整について説明する。押釦スイッチ３０の長押時間に応じて溶接電流が増加するように調整され、本実施形態では初期設定を基準として長押時間２秒毎に１０Ａずつ増加するように構成されている。より詳しくは、長押時間の合計が２秒以上となることにより溶接電流が増加し始め（すなわち、長押時間の合計が２秒未満であれば増加しない）、長押時間２秒毎に１０Ａずつ増加し、長押時間の合計が１０秒以上となることにより微調整の最大値である＋５０Ａとなり、さらに長押時間の合計が１２秒以上となることによって初期設定に復帰する。
【００４２】
すなわち、例えば第１チャンネルの微調整モードにおいてそのチャンネルの初期設定が溶接電流１００Ａである場合には、長押時間に応じて１１０Ａ，１２０Ａ，・・・という具合に１５０Ａまで溶接電流を微調整することが可能である。そして、所望の溶接電流が得られたときに押釦スイッチ３０の長押を解除する（すなわち、押釦スイッチ３０を離す）ことにより、その溶接電流を維持することができる。また、この第４の操作に連動して、電流微調整表示部１７は点灯から点滅に移行する。
【００４３】
溶接電圧については図６に示す如く、前記した溶接電流の場合と同様に、本実施形態では初期設定を基準として長押時間２秒毎に１Ｖずつ増加するように構成されている。より詳しくは、長押時間の合計が２秒以上となることにより溶接電圧が増加し始め（すなわち、長押時間の合計が２秒未満であれば増加しない）、長押時間２秒毎に１Ｖずつ増加し、長押時間の合計が１０秒以上となることにより微調整の最大値である＋５Ｖとなり、さらに長押時間の合計が１２秒間以上となることによって初期設定に復帰する。
【００４４】
すなわち、例えば第１チャンネルの微調整モードにおいてその初期設定が溶接電圧１０Ｖである場合には、長押時間に応じて１１Ｖ，１２Ｖ，・・・という具合に１５Ｖまで溶接電圧を微調整することが可能である。そして、所望の溶接電圧が得られてときに押釦スイッチ３０の長押を解除する（すなわち、押釦スイッチ３０を離す）ことにより、その溶接電圧を維持することができる。また、この第４の操作に連動して、電圧微調整表示部１８は点灯から点滅に移行する。
【００４５】
溶接電流および溶接電圧の双方を微調整する場合には、以下の手順により行うことができる。例えば、まず微調整対象として溶接電流Ａを選択（電流微調整表示部１７点灯）する。押釦スイッチ３０を長押（電流微調整表示部１７点滅）し、例えば６〜８秒間の長押で解除することにより、初期設定より３０Ａ増加した溶接電流で維持される。この状態でワンクリックすることにより微調整対象が溶接電流Ａから溶接電圧Ｖに変換（電圧微調整表示部１８点灯）される。そして押釦スイッチ３０を長押（電圧微調整表示部１８点滅）し、例えば８〜１０秒間の長押で解除することにより、初期設定より４Ｖ増加した溶接電圧で維持される。すなわち、この例では初期設定より溶接電流が３０Ａ、溶接電圧が４Ｖ増加した状態で溶接条件が維持され、この条件で溶接作業を行うことができる。
【００４６】
微調整モードにある状態でダブルクリックすることにより、標準切換モードにモード変換される。従って、上記例である初期設定より溶接電流が３０Ａ、溶接電圧が４Ｖ増加した状態でダブルクリックすることによって溶接電流および溶接電圧に係る微調整が初期化されて初期設定に復帰し、標準切換モードにモード変換される（電流微調整表示部１７，電圧微調整表示部１８ともに消灯）。
【００４７】
以上、第１の操作により第１チャンネルが選択された場合を例に挙げて説明したが、第２チャンネルまたは第３チャンネルが選択された場合においても微調整モードでは同様の操作手順により溶接電流および溶接電圧を微調整することが可能である。
【００４８】
なお、本実施形態では制御装置本体部１０を一部材として設けたが、溶接電源２内に内蔵することも可能である。また、本実施形態では３通りの初期条件を設定できるように構成されていたが、これに限られるものではない。さらに、本実施形態では第３の操作によって「標準切換モード」から「微調整モード」に切り替わることにより、微調整対象として「溶接電流Ａ」がはじめに選択されるように構成されているが、これに限られるものではなく「溶接電圧Ｖ」がはじめに選択される構成とすることができることは言うまでもない。さらに、本実施形態では第１から第４の操作として、「ワンクリック」、「ダブルクリック」または「長押」を用いたが、本発明の作用効果が得られる操作であればこれらの操作に限定されるものではない。
【００４９】
【発明の効果】
以上説明したように、本発明によれば、溶接作業者が手に持つ溶接トーチに具備された操作部において、第１から第４の操作を行うことによって最適な条件で溶接作業を行うことができるため、作業効率、作業性が高い。
【図面の簡単な説明】
【図１】本実施形態に係るアーク溶接機の概略構成図である。
【図２】本実施形態に係る制御装置本体部を示す外観斜視図である。
【図３】本実施形態に係る溶接トーチを示す斜視図である。
【図４】押釦スイッチの操作手順の説明に供するフロー図である。
【図５】溶接電流の微調整の説明に供するグラフ図面である。
【図６】溶接電圧の微調整の説明に供するブラフ図面である。
【符号の説明】
１  アーク溶接機
２  溶接電源
３  溶接ワイヤ送給装置
６  溶接条件表示部
７  微調整対象表示部
８  初期条件設定部
１０  制御装置本体部
１１  第１チャンネル表示部
１１ａ  第１チャンネル電流操作部
１１ｂ  第１チャンネル電圧操作部
１２  第２チャンネル表示部
１２ａ  第２チャンネル電流操作部
１２ｂ  第２チャンネル電圧操作部
１３  第３チャンネル表示部
１３ａ  第３チャンネル電流操作部
１３ｂ  第３チャンネル電圧操作部
１７  電流微調整表示部
１８  電圧微調整表示部
１９  ワイヤ送給インチングボタン
２０  溶接トーチ
２１  把持部
２２  ＯＮ／ＯＦＦスイッチ
３０  押釦スイッチ
【図１】
2004223555.tif 000003
【図２】
2004223555.tif 000004
【図３】
2004223555.tif 000005
【図４】
2004223555.tif 000006
【図５】
2004223555.tif 000007
【図６】
2004223555.tif 000008